(57)【要約】【課題】運転操作を行う感覚をドライバが取り戻した状態で運転操作の制御権をドライバへ移譲させることを、より確実に可能にする。【解決手段】ドライバの視線位置を特定する視線位置特定部２０４と、ドライバに運転操作の制御権を移譲しようとする場合に、視線位置特定部２０４で特定する視線位置に該当する道路上の位置に所定の設定時間後に車両が到達するための運転操作の目標を決定する目標決定部２０６と、目標決定部２０６で決定した運転操作の目標に合わせた運転操作を教示する教示表示を行わせる表示制御部２０３と、目標決定部２０６で決定した運転操作の目標と模擬操作受付部２０７で受け付けた模擬的な運転操作とのずれが運転感覚の未回復を示す閾値未満である場合にドライバへの運転操作の移譲を許可する復帰可否判定部２０９とを備える。【選択図】図３
2018203180.tif 000002
【特許請求の範囲】
【請求項１】
ドライバによって運転操作部（１３，１４）に入力される運転操作を前記ドライバに代わって実施可能な自動運転機能を備える車両で用いられ、運転操作の制御権について自動運転機能から前記ドライバへの移譲を制御する移譲制御装置であって、
前記ドライバの視線位置を特定する視線位置特定部（２０４）と、
前記ドライバに運転操作の制御権を移譲しようとする場合に、前記視線位置特定部で特定する視線位置に該当する道路上の位置に所定の設定時間後に前記車両が到達するための運転操作の目標を決定する目標決定部（２０６）と、
前記目標決定部で決定した運転操作の目標と前記運転操作部に入力される実際の運転操作との一致度合いに応じて前記ドライバへの運転操作の移譲を許可する移譲許可部（２０９）とを備える移譲制御装置。
【請求項２】
ドライバによって運転操作部（１３，１４）に入力される運転操作を前記ドライバに代わって実施可能な自動運転機能を備える車両で用いられ、運転操作の制御権について自動運転機能から前記ドライバへの移譲を制御する移譲制御装置であって、
前記ドライバの視線位置を特定する視線位置特定部（２０４）と、
前記ドライバに運転操作の制御権を移譲しようとする場合に、前記視線位置特定部で特定する視線位置に該当する道路上の位置に所定の設定時間後に前記車両が到達するための運転操作の目標を決定する目標決定部（２０６）と、
前記目標決定部で決定した運転操作の目標に合わせた運転操作を教示する教示表示を行わせる表示制御部（２０３）と、
前記ドライバへの運転操作の移譲を許可する移譲許可部（２０９）とを備え、
前記移譲許可部は、前記表示制御部で前記教示表示を行ったことを少なくとも条件の１つとして、前記ドライバへの運転操作の移譲を許可する移譲制御装置。
【請求項３】
前記目標決定部で決定した運転操作の目標に合わせた運転操作を教示する教示表示を行わせる表示制御部（２０３）を備え、
前記移譲許可部は、前記表示制御部で前記教示表示を行った後、前記目標決定部で決定した運転操作の目標と前記運転操作部に入力される実際の運転操作との一致度合いに応じて前記ドライバへの運転操作の移譲を許可する請求項１に記載の移譲制御装置。
【請求項４】
前記ドライバの不安を示すトリガを検知する不安検知部（２０５）を備え、
前記運転操作の制御権について自動運転機能から前記ドライバへ移譲した後に、前記不安検知部で前記ドライバの不安を示すトリガを検知しない場合には、
前記表示制御部は、前記教示表示を終了させる一方、
前記運転操作の制御権について自動運転機能から前記ドライバへ移譲した後も、前記不安検知部で前記ドライバの不安を示すトリガを検知した場合には、
前記目標決定部は、前記視線位置特定部で特定する視線位置に該当する道路上の位置に所定の設定時間後に前記車両が到達するための運転操作の目標を決定し、
前記表示制御部は、前記目標決定部で決定した運転操作の目標に合わせた運転操作を教示する教示表示を継続させる請求項２又は３に記載の移譲制御装置。
【請求項５】
前記表示制御部は、投影部材へ画像を投影することによって前記車両の前景に虚像を重畳表示させるヘッドアップディスプレイ（２３０）による表示を制御するものであって、前記目標決定部で決定した運転操作の目標に合わせるための前記設定時間における操舵操作の範囲を示す虚像を、前記車両の前景に重畳表示させることで、前記教示表示を行わせる請求項２〜４のいずれか１項に記載の移譲制御装置。
【請求項６】
前記表示制御部は、前記目標決定部で決定した運転操作の目標に合わせるための操舵量に対する、実際の運転操作による操舵量のずれを示す表示を、前記教示表示として行わせる請求項２〜５のいずれか１項に記載の移譲制御装置。
【請求項７】
前記表示制御部は、前記目標決定部で決定した運転操作の目標に合わせるための加減速操作量に対する、実際の運転操作による加減速操作量のずれを示す表示を、前記教示表示として行わせる請求項２〜６のいずれか１項に記載の移譲制御装置。
【請求項８】
前記移譲許可部で前記ドライバへの運転操作の移譲を許可した場合に、運転操作の制御権について自動運転機能から前記ドライバへ移譲する請求項１〜７のいずれか１項に記載の移譲制御装置。
【請求項９】
前記ドライバに運転操作の制御権を移譲しようとする場合に、運転操作の制御権を自動運転機能から前記ドライバへ移譲するまでは、前記運転操作部と前記車両の走行制御とが切り離された状態で、前記ドライバによる前記運転操作部への模擬的な運転操作による入力を受け付ける模擬操作受付部（２０７）を備える請求項１〜８のいずれか１項に記載の移譲制御装置。
【請求項１０】
前記模擬操作受付部で受け付ける前記模擬的な運転操作による入力に応じた疑似的な反力を前記運転操作部に与える疑似反力制御部（２０８）を備える請求項９に記載の移譲制御装置。
【請求項１１】
前記視線位置特定部は、前記ドライバに運転操作の制御権を移譲しようとする場合に、前記ドライバの視線方向を検出する装置で逐次検出しておいた視線方向の分布をもとに前記ドライバの視線位置を特定する請求項１〜１０のいずれか１項に記載の移譲制御装置。
【請求項１２】
ドライバによって運転操作部（１３，１４）に入力される運転操作を前記ドライバに代わって実施可能な自動運転機能を備える車両で用いられ、運転操作の制御権について自動運転機能から前記ドライバへの移譲を制御する移譲制御装置を制御する制御プログラムであって、
コンピュータを、
前記ドライバの視線位置を特定する視線位置特定部（２０４）と、
前記ドライバに運転操作の制御権を移譲しようとする場合に、前記視線位置特定部で特定する視線位置に該当する道路上の位置に所定の設定時間後に前記車両が到達するための運転操作の目標を決定する目標決定部（２０６）と、
前記目標決定部で決定した運転操作の目標と前記運転操作部に入力される実際の運転操作との一致度合いに応じて前記ドライバへの運転操作の移譲を許可する移譲許可部（２０９）として機能させるための制御プログラム。
【請求項１３】
ドライバによって運転操作部（１３，１４）に入力される運転操作を前記ドライバに代わって実施可能な自動運転機能を備える車両で用いられ、運転操作の制御権について自動運転機能から前記ドライバへの移譲を制御する移譲制御装置を制御する制御プログラムであって、
コンピュータを、
前記ドライバの視線位置を特定する視線位置特定部（２０４）と、
前記ドライバに運転操作の制御権を移譲しようとする場合に、前記視線位置特定部で特定する視線位置に該当する道路上の位置に所定の設定時間後に前記車両が到達するための運転操作の目標を決定する目標決定部（２０６）と、
前記目標決定部で決定した運転操作の目標に合わせた運転操作を教示する教示表示を行わせる表示制御部（２０３）と、
前記表示制御部で前記教示表示を行ったことを少なくとも条件の１つとして、前記ドライバへの運転操作の移譲を許可する移譲許可部（２０９）として機能させるための制御プログラム。
【発明の詳細な説明】
【技術分野】
【０００１】
この明細書による開示は、車両の運転操作の制御権について、自動運転機能からドライバへの移譲を制御する移譲制御装置及び制御プログラムに関する。
【背景技術】
【０００２】
近年、例えばレーンキープ機能のように、ドライバに代わって運転操作を実施可能な自動運転機能を備えた車両が普及しつつある。このような車両では、自動運転機能からドライバへと制御権の移譲が行われる。例えば特許文献１には、ドライバが自動運転解除要求を行った後、実運転をドライバが引き継ぐまでの間に、ドライバが適正な運転操作を行い得るかどうかを判定し、適正な運転操作と判定したときに自動運転を解除する技術が開示されている。特許文献１に開示の技術では、ドライバによる運転操作と自動運転制御装置が最適と判断する運転操作とを比較して、この比較結果が一定値以内となる状態が一定時間継続した場合に、適正な運転操作と判定している。
【先行技術文献】
【特許文献】
【０００３】
【特許文献１】特開２００７−１９６８０９号公報
【発明の概要】
【発明が解決しようとする課題】
【０００４】
しかしながら、ドライバがそれぞれ固有に持っている運転感覚は異なるため、ドライバによる運転操作と自動運転制御装置が最適と判断する運転操作の比較結果が一定値以内となる状態が一定時間継続したからといって、運転操作を行う感覚をドライバが取り戻していない場合も多々あると考えられる。
【０００５】
この開示のひとつの目的は、運転操作を行う感覚をドライバが取り戻した状態で運転操作の制御権をドライバへ移譲させることを、より確実に可能にする移譲制御装置及び制御プログラムを提供することにある。
【課題を解決するための手段】
【０００６】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【０００７】
上記目的を達成するために、本発明の第１の移譲制御装置は、ドライバによって運転操作部（１３，１４）に入力される運転操作をドライバに代わって実施可能な自動運転機能を備える車両で用いられ、運転操作の制御権について自動運転機能からドライバへの移譲を制御する移譲制御装置であって、ドライバの視線位置を特定する視線位置特定部（２０４）と、ドライバに運転操作の制御権を移譲しようとする場合に、視線位置特定部で特定する視線位置に該当する道路上の位置に所定の設定時間後に車両が到達するための運転操作の目標を決定する目標決定部（２０６）と、目標決定部で決定した運転操作の目標と運転操作部に入力される実際の運転操作との一致度合いに応じてドライバへの運転操作の移譲を許可する移譲許可部（２０９）とを備える。
【０００８】
また、上記目的を達成するために、本発明の第１の制御プログラムは、ドライバによって運転操作部（１３，１４）に入力される運転操作をドライバに代わって実施可能な自動運転機能を備える車両で用いられ、運転操作の制御権について自動運転機能からドライバへの移譲を制御する移譲制御装置を制御する制御プログラムであって、コンピュータを、ドライバの視線位置を特定する視線位置特定部（２０４）と、ドライバに運転操作の制御権を移譲しようとする場合に、視線位置特定部で特定する視線位置に該当する道路上の位置に所定の設定時間後に車両が到達するための運転操作の目標を決定する目標決定部（２０６）と、目標決定部で決定した運転操作の目標と運転操作部に入力される実際の運転操作との一致度合いに応じてドライバへの運転操作の移譲を許可する移譲許可部（２０９）として機能させる。
【０００９】
これによれば、視線位置特定部で特定するドライバの視線位置に該当する道路上の位置に所定の設定時間後に車両が到達するための運転操作の目標と運転操作部に入力される実際の運転操作との一致度合いに応じてドライバへの運転操作の移譲を許可することになる。一般的に、ドライバは、次に到達しようとする地点に視線を向けたうえで運転を行う。よって、ドライバの視線位置に該当する道路上の位置に所定の設定時間後に車両が到達するための運転操作をドライバの運転操作の目標とすれば、ドライバがそれぞれ固有に持っている運転感覚に沿った運転操作の目標を決定することが可能になる。そして、以上の構成によれば、この運転操作の目標と運転操作部に入力される実際の運転操作との一致度合いに応じてドライバへの運転操作の移譲を許可するので、ドライバがそれぞれ固有に持っている運転感覚をドライバが取り戻した場合に、ドライバへ運転操作の制御権を移譲させることが可能になる。その結果、運転操作を行う感覚をドライバが取り戻した状態で運転操作の制御権をドライバへ移譲させることが、より確実に可能になる。
【００１０】
上記目的を達成するために、本発明の第２の移譲制御装置は、ドライバによって運転操作部（１３，１４）に入力される運転操作をドライバに代わって実施可能な自動運転機能を備える車両で用いられ、運転操作の制御権について自動運転機能からドライバへの移譲を制御する移譲制御装置であって、ドライバの視線位置を特定する視線位置特定部（２０４）と、ドライバに運転操作の制御権を移譲しようとする場合に、視線位置特定部で特定する視線位置に該当する道路上の位置に所定の設定時間後に車両が到達するための運転操作の目標を決定する目標決定部（２０６）と、目標決定部で決定した運転操作の目標に合わせた運転操作を教示する教示表示を行わせる表示制御部（２０３）と、ドライバへの運転操作の移譲を許可する移譲許可部（２０９）とを備え、移譲許可部は、表示制御部で教示表示を行ったことを少なくとも条件の１つとして、ドライバへの運転操作の移譲を許可する。
【００１１】
また、上記目的を達成するために、本発明の第２の制御プログラムは、ドライバによって運転操作部（１３，１４）に入力される運転操作をドライバに代わって実施可能な自動運転機能を備える車両で用いられ、運転操作の制御権について自動運転機能からドライバへの移譲を制御する移譲制御装置を制御する制御プログラムであって、コンピュータを、ドライバの視線位置を特定する視線位置特定部（２０４）と、ドライバに運転操作の制御権を移譲しようとする場合に、視線位置特定部で特定する視線位置に該当する道路上の位置に所定の設定時間後に車両が到達するための運転操作の目標を決定する目標決定部（２０６）と、目標決定部で決定した運転操作の目標に合わせた運転操作を教示する教示表示を行わせる表示制御部（２０３）と、表示制御部で教示表示を行ったことを少なくとも条件の１つとして、ドライバへの運転操作の移譲を許可する移譲許可部（２０９）として機能させる。
【００１２】
これによれば、視線位置特定部で特定するドライバの視線位置に該当する道路上の位置に所定の設定時間後に車両が到達するための運転操作の目標に合わせた運転操作を教示する教示表示を行わせることになる。一般的に、ドライバは、次に到達しようとする地点に視線を向けたうえで運転を行う。よって、ドライバの視線位置に該当する道路上の位置に所定の設定時間後に車両が到達するための運転操作をドライバの運転操作の目標とすれば、ドライバがそれぞれ固有に持っている運転感覚に沿った運転操作の目標を決定することが可能になる。そして、以上の構成によれば、この運転操作の目標に合わせた運転操作を教示する教示表示を行わせるので、この教示表示によって、ドライバがそれぞれ固有に持っている運転感覚をドライバに取り戻させることが可能になる。その結果、運転操作を行う感覚をドライバが取り戻した状態で運転操作の制御権をドライバへ移譲させることが、より確実に可能になる。
【図面の簡単な説明】
【００１３】
【図１】車両システム１の概略的な構成の一例を示す図である。
【図２】ＨＵＤ２３０の車両への搭載例を示す図である。
【図３】ＨＣＵ２０の概略的な構成の一例を示す図である。
【図４】視線位置の特定について説明するための図である。
【図５】ドライバの視線方向の変化と運転操作の変化との関係について説明するための図である。
【図６】教示表示の一例を示す図である。
【図７】教示表示の一例を示す図である。
【図８】ＨＣＵ２０での移譲関連処理の流れの一例を示すフローチャートである。
【図９】移譲関連処理における第１運転復帰シーケンスの流れの一例を示すフローチャートである。
【図１０】移譲関連処理における第２運転復帰シーケンスの流れの一例を示すフローチャートである。
【図１１】復帰不能と判別された場合のＨＵＤ２３０での表示の一例を示す図である。
【図１２】移譲関連処理における運転復帰後支援シーケンスの流れの一例を示すフローチャートである。
【発明を実施するための形態】
【００１４】
図面を参照しながら、開示のための複数の実施形態を説明する。なお、説明の便宜上、複数の実施形態の間において、それまでの説明に用いた図に示した部分と同一の機能を有する部分については、同一の符号を付し、その説明を省略する場合がある。同一の符号を付した部分については、他の実施形態における説明を参照することができる。
【００１５】
（実施形態１）
＜車両システム１の概略構成＞
以下、本実施形態について図面を用いて説明する。図１に示す車両システム１は、自動車といった車両で用いられるものであり、ＨＭＩ（Human Machine Interface）システム２、ロケータ３、地図データベース（以下、地図ＤＢ）４、車両状態センサ５、車両制御ＥＣＵ６、周辺監視センサ７、及び自動運転ＥＣＵ８を含んでいる。ＨＭＩシステム２、ロケータ３、地図ＤＢ４、車両状態センサ５、車両制御ＥＣＵ６、及び自動運転ＥＣＵ８は、例えば車内ＬＡＮに接続されているものとする。以下では、車両システム１を用いる車両を自車と呼ぶ。
【００１６】
ロケータ３は、ＧＮＳＳ（Global Navigation Satellite System）受信機及び慣性センサを備えている。ＧＮＳＳ受信機は、複数の人工衛星からの測位信号を受信する。慣性センサは、例えばジャイロセンサ及び加速度センサを備える。ロケータ３は、ＧＮＳＳ受信機で受信する測位信号と、慣性センサの計測結果とを組み合わせることにより、ロケータ３を搭載した自車の車両位置を逐次測位する。なお、車両位置の測位には、自車に搭載された車速センサから逐次出力される信号から求めた走行距離を用いる構成としてもよい。
【００１７】
地図ＤＢ４は、例えば不揮発性メモリであって、リンクデータ，ノードデータ，道路形状，構造物等の地図データを格納している。地図データは、道路形状及び構造物の特徴点の点群からなる三次元地図であってもよい。地図データは、通信モジュールを用いて自車の外部から取得する構成としてもよい。
【００１８】
車両状態センサ５は、自車の走行状態，操作状態等を検出するためのセンサ群である。車両状態センサ５としては、自車の車速を検出する車速センサ，自車のステアリングの操舵角を検出する操舵センサ，自車のスロットルバルブの開度（以下、バルブ開度）を検出するスロットルバルブセンサ，自車のアクセルペダルの開度を検出するアクセル開度センサ，自車のブレーキペダルの踏み込み量を検出するブレーキストロークセンサ，自車のシフト位置を検出するシフトポジションセンサ等がある。車両状態センサ５は、検出結果を車内ＬＡＮへ出力する。なお、車両状態センサ５での検出結果は、自車に搭載されるＥＣＵを介して車両ＬＡＮへ出力される構成であってもよい。
【００１９】
車両制御ＥＣＵ６は、自車の加減速制御及び／又は操舵制御を行う電子制御装置である。車両制御ＥＣＵ６としては、操舵制御を行うステアリングホイールＥＣＵ、加減速制御を行うパワーユニット制御ＥＣＵ、ブレーキペダルＥＣＵ、及びシフトレバーＥＣＵ等がある。例えば自車がガソリン車両である場合には、パワーユニット制御ＥＣＵとしてはスロットルＥＣＵを用いる構成とすればよい。以降では、自車がガソリン車両である場合を例に挙げて説明を行う。車両制御ＥＣＵ６は、電子制御スロットル、ブレーキアクチュエータ、ＥＰＳ（Electric Power Steering）モータ等の各走行制御デバイスへ制御信号を出力することで、自車の加減速制御及び／又は操舵制御を行う。
【００２０】
周辺監視センサ７は、自車周辺の静止物体，移動体を検出したり、走行区画線等の道路標示を検出したりする。周辺監視センサ７としては、自車の前方の所定範囲を撮像範囲とする前方カメラ７０を用いる構成とすればよい。例えば前方カメラ７０は、自車のルームミラー１１（図２参照）に設ける構成とすればよい。前方カメラ７０は、自車のインストルメントパネル１２（図２参照）の上面に設ける等してもよい。周辺監視センサ７としては、自車の前方以外を撮像するカメラを用いたり、ミリ波レーダ，ソナー，ＬＩＤＡＲ（Light Detection and Ranging/Laser Imaging Detect ion and Ranging）等を用いたりする構成としてもよい。
【００２１】
自動運転ＥＣＵ８は、車両制御ＥＣＵ６を制御することにより、ドライバによる運転操作の代行を行う自動運転機能を実行する。自動運転ＥＣＵ８は、ロケータ３から取得した自車の車両位置及び地図ＤＢ４から取得した地図データ，前方カメラ７０での撮像した前方画像等の周辺監視センサ７での検出結果から、自車の走行環境を認識する。一例としては、周辺監視センサ７での検出結果から、自車周辺の物体の形状及び移動状態を認識したり、自車周辺の標示の形状を認識したりする。そして、自車の車両位置及び地図データと組み合わせることで、実際の走行環境を三次元で再現した仮想空間を生成する。
【００２２】
また、自動運転ＥＣＵ８は、認識した走行環境に基づき、自動運転機能によって自車を自動走行させるための走行計画を生成する。走行計画としては、長中期の走行計画と、短期の走行計画とが生成される。長中期の走行計画では、設定された目的地に自車を向かわせるための経路が生成される。短期の走行計画では、生成した自車の周囲の仮想空間を用いて、長中期の走行計画に従った走行を実現するための予定走行軌跡が生成される。具体的に、車線変更のための操舵、速度調整のための加減速、及び障害物回避のための操舵及び制動等の実行を決定する。また、通信モジュールを介して自車の外部の端末から天候，交通規制，渋滞，手動運転の車両の走行台数等の情報を取得できる場合には、これらの情報も用いて長中期の走行計画を逐次動的に更新する構成としてもよい。
【００２３】
そして、自動運転ＥＣＵ８は、生成した走行計画に従い、車両制御ＥＣＵ３０との連携によって自車の加減速制御及び／又は操舵制御を行うことにより、自動運転を行う。自動運転ＥＣＵ８は、自動運転として、自車の加減速制御及び操舵制御の一部を自動で行うものであってもよいが、以降では、自車の加減速制御及び操舵制御を自動で行う場合を例に挙げて説明を行う。自動運転ＥＣＵ８で行う自動運転は、手動運転に運転交代が可能であるものとする。
【００２４】
手動運転時には、自動運転ＥＣＵ８の自動運転機能が停止されており、ドライバが自車の走行を制御する。手動運転時には、車両制御ＥＣＵ６は、車両状態センサ５から取得する検出信号に従う内容の制御信号を生成し、各走行制御デバイスへ制御信号を出力することになる。自動運転時には、実行中の自動運転機能が自車の走行を制御する。自動運転時には、車両制御ＥＣＵ６は、自動運転ＥＣＵ８から取得する車両制御情報に従う内容の制御信号を生成し、各走行制御デバイスへ制御信号を出力することになる。
【００２５】
ＨＭＩシステム２は、ＨＣＵ（Human Machine Interface Control Unit）２０、操作デバイス２１、ＤＳＭ（Driver Status Monitor）２２、表示装置２３、音声出力装置２４、ステアリングユニット２５、及びペダルユニット２６を備えている。操作デバイス２１は、自車のドライバが操作するスイッチ群である。操作デバイス２１は、各種の設定を行うために用いられる。例えば、操作デバイス２１としては、自車のステアリングのスポーク部に設けられたステアリングスイッチ等がある。
【００２６】
ＤＳＭ２２は、近赤外光源及び近赤外カメラと、これらを制御する制御ユニット等とによって構成されている。ＤＳＭ２２は、近赤外カメラを自車の運転席側に向けた姿勢にて、例えばステアリングコラムカバー，インストルメントパネル１２（図２参照）の上面等に配置される。ＤＳＭ２２は、近赤外光源によって近赤外光を照射されたドライバの頭部を、近赤外カメラによって撮影する。近赤外カメラによる撮像画像は、制御ユニットによって画像解析される。制御ユニットは、例えばドライバの顔向き及び視線方向を、撮像画像から検出する。
【００２７】
一例として、ＤＳＭ２２は、近赤外カメラによってドライバの顔を撮像した撮像画像から、画像認識処理によって顔の輪郭、目、鼻、口などの部位を検出する。そして、各部位の相対的な位置関係からドライバの顔向きを検出する。また、一例として、ＤＳＭ２３は、近赤外カメラによってドライバの顔を撮像した撮像画像から、画像認識処理によって、ドライバの瞳孔及び角膜反射を検出し、検出した瞳孔と角膜反射との位置関係及びドライバの顔向きから車室内の基準位置に対する視線方向を検出する。基準位置は例えば近赤外カメラの設置位置等とすればよい。ＤＳＭ２２は、検出した視線方向の情報をＨＣＵ２０へ出力する。
【００２８】
なお、ＤＳＭ２２は、顔部位の形状的な特徴等から、ドライバが不安であるといったドライバの感情を推定してもよい。また、ＤＳＭ２２は、瞼形状の変化を開眼度として算出することで閉眼の検知を行う等して、この閉眼度の経時的な変化，顔部位の形状的な特徴，顔部位の経時的な変化等から、ドライバの眠気の度合いを検出してもよい。
【００２９】
表示装置２３としては、ヘッドアップディスプレイ（以下、ＨＵＤ）２３０を用いる。ここで、図２を用いてＨＵＤ２３０について説明を行う。図２に示すようにＨＵＤ２３０は、自車のインストルメントパネル１２に設けられる。ＨＵＤ２３０は、例えば液晶式又は走査式等のプロジェクタ２３１により、ＨＣＵ２０から出力される画像データに基づく表示画像を形成する。
【００３０】
ＨＵＤ２３０は、プロジェクタ２３１によって形成される表示画像を、例えば凹面鏡等の光学系２３２を通じて、投影部材としてのフロントウインドシールド１０に既定された投影領域に投影する。投影領域は、例えば運転席前方に位置するものとする。フロントウインドシールド１０によって車室内側に反射された表示画像の光束は、運転席に着座するドライバによって知覚される。また、透光性ガラスにより形成されるフロントウインドシールド１０を透過した、自車の前方に存在する風景としての前景からの光束も、運転席に着座するドライバによって知覚される。これにより、ドライバは、フロントウインドシールド１０の前方にて結像される表示画像の虚像１００を、前景の一部と重ねて視認可能となる。つまり、ＨＵＤ２２０は、自車の前景に虚像１００を重畳表示し、所謂ＡＲ（Augmented Reality）表示を実現する。
【００３１】
なお、ＨＵＤ２３０が表示画像を投影する投影部材は、フロントウインドシールド１０に限らず、透光性コンバイナであっても構わない。また、表示装置２３として、ＨＵＤ２３０の他の、画像を表示する装置を用いる構成としてもよい。一例としては、コンビネーションメータ、ＣＩＤ（Center Information Display）等がある。また、音声出力装置２５としては、例えばオーディオスピーカ等を用いればよい。
【００３２】
ステアリングユニット２５は、自車のステアリングホイール１３（図２参照）の動作に関する機構であって、アクチュエータ２５０及び連動切替部２５１を備えている。このステアリングホイール１３が請求項の運転操作部に相当する。アクチュエータ２５０は、自車のステアリングホイールを回転可能に支持するステアリングシャフトにトルクを印加する駆動部である。アクチュエータ２５０は、ステアリングシャフトに印加するトルクの方向及び大きさを変更することにより、ステアリングホイールを通じてドライバが抵抗として感じる操舵反力を増減させる。加えてアクチュエータ２５０は、ステアリングシャフトに印加するトルクによって擬似的な操舵反力を生じさせる。連動切替部２５１は、自車のステアリングホイールへの操舵操作の入力によって自車の操舵輪が転舵される連動状態と、ステアリングホイールが自車の操向から切り離された非連動状態とを切り替える機構部である。連動切替部２５１は、自動運転ＥＣＵ８によって操舵操作が代行されている場合に、ステアリングホイールを非連動状態へと切り替える。
【００３３】
ペダルユニット２６は、自車のアクセルペダル１４（図２参照）の動作に関する機構であって、アクチュエータ２６０及び連動切替部２６１を備えている。このアクセルペダル１４も請求項の運転操作部に相当する。アクチュエータ２６０は、自車のアクセルペダルに疑似的な操作反力を生じさせる駆動部である。一例として、アクチュエータ２６０としては、アクセルペダルの踏み込み方向とは逆方向にアクセルペダルを動作させるモータ等を用いれば良い。アクチュエータ２６０としては、油圧を利用したものであってもよい。連動切替部２６１は、自車のアクセルペダルへの操作入力によって自車が加減速される連動状態と、アクセルペダルが自車の加減速から切り離された非連動状態とを切り替える機構部である。連動切替部２６１は、自動運転ＥＣＵ８によって加減速操作が代行されている場合に、アクセルペダルを非連動状態へと切り替える。
【００３４】
なお、ペダルユニット２６は、アクセルペダルに限らず、ブレーキペダルにも適用することは可能であるが、以降では、ペダルユニット２６をブレーキペダルに適用しない場合を例に挙げて説明を行う。このブレーキペダルも請求項の運転操作部に相当する。また、ステアリングホイール，ペダルといった運転操作部以外についても、同様のユニットを備える構成としてもよい。例えば、シフトレバーについても、疑似的な操作反力を生じさせるアクチュエータと、連動切替部とを備えるユニットを備える構成とすればよい。シフトレバーについての連動切替部は、シフトレバーの操作入力によって変速比を切り替える連動状態と、シフトレバーが変速比の切り替えと切り離された非連動状態とを切り替える構成とすればよい。
【００３５】
ＨＣＵ２０は、プロセッサ、メモリ、Ｉ／Ｏ、これらを接続するバスを備えるマイクロコンピュータを主体として構成され、操作デバイス２１，ＤＳＭ２２，表示装置２３，音声出力装置２４，ステアリングユニット２５，ペダルユニット２６と車内ＬＡＮとに接続されている。ここで言うところのメモリは、コンピュータによって読み取り可能なプログラム及びデータを非一時的に格納する非遷移的実体的記憶媒体（non- transitory tangible storage medium）である。また、非遷移的実体的記憶媒体は、半導体メモリ又は磁気ディスクなどによって実現される。ＨＣＵ２０は、このメモリに記憶された制御プログラムを実行することにより、種々の機能を実現する。
【００３６】
例えば、ＨＣＵ２０は、機能の一つとして、運転操作の制御権についての自動運転機能からドライバへの移譲に関する機能（以下、移譲関連機能）を実現する。このＨＣＵ２０が請求項の移譲制御装置に相当し、ＨＣＵ２０の移譲関連機能を実現するための制御プロフラムが請求項の制御プログラムに相当する。なお、移譲関連機能に関するＨＣＵ２０の構成については以下で詳述する。
【００３７】
＜ＨＣＵ２０の概略構成＞
ここで、図３を用いてＨＣＵ２０の概略構成についての説明を行う。ＨＣＵ２０は、移譲関連機能に関して、図３に示すように、運転交代要求部２０１、提示制御部２０２、視線位置特定部２０４、不安検知部２０５、目標決定部２０６、模擬操作受付部２０７、疑似反力制御部２０８、及び復帰可否判定部２０９を機能ブロックとして備える。なお、ＨＣＵ２０が実行する機能の一部又は全部を、一つ或いは複数のＩＣ等によりハードウェア的に構成してもよい。また、ＨＣＵ２０が備える機能ブロックの一部又は全部は、プロセッサによるソフトウェアの実行とハードウェア部材の組み合わせによって実現されてもよい。
【００３８】
運転交代要求部２０１は、自動運転時において、運転操作の制御権について自動運転機能からドライバへの移譲（以下、単に運転交代）が必要であることを判断した場合に、ドライバに向けた運転交代の要求（以下、ＴＯＲ：Take Over Requests）を提示制御部２０２から行わせる。一例としては、運転交代要求部２０１は、自動運転ＥＣＵ８で生成した長中期の走行計画における自動運転区間が終了する場合に、運転交代が必要と判断してＴＯＲを行わせる構成とすればよい。この運転交代は計画的な運転交代にあたる。また、運転交代要求部２０１は、自動運転を中止することが望ましい状況が突発的に生じた場合に、運転交代が必要と判断してＴＯＲを行わせる構成とすればよい。この運転交代は非計画的な運転交代にあたる。突発的に生じる自動運転を中止することが望ましい状況としては、例えば周辺監視センサ７でのセンシング精度の低下，周辺監視センサ７の異常等を検出した場合が挙げられる。また、周辺監視センサ７でのセンシング精度が保障できない大雨，濃霧等の環境異常を検出した場合が挙げられる。他にも、前方の障害物を回避するために車線変更が必要であるが隣接車線の状況が車線変更困難な状況を検出した場合等が挙げられる。
【００３９】
提示制御部２０２は、表示装置２３，音声出力装置２４といった情報提示装置を制御して情報提示を行う。提示制御部２０２は、運転交代要求部２０１から指示を受けて、ＴＯＲを行う。ＴＯＲの一例としては、運転交代を要求するテキストを表示装置２３に表示させたり、音声出力装置２４から音声出力させたり、運転交代を要求することを示すアイコン等の画像を表示装置２３に表示させたりする等の例が挙げられる。表示装置２３での表示の制御については、提示制御部２０２のうちの表示制御部２０３が行う。
【００４０】
視線位置特定部２０４は、自車のドライバの視線位置を特定する。視線位置特定部２０４で特定する視線位置は、例えば前方カメラ７０での撮像画像（以下、前景画像）中の視線位置とすればよい。一例として、視線位置特定部２０４は、予めＨＣＵ２０の不揮発性メモリに格納しておいた、ＤＳＭ２２で検出する視線方向と前景画像中の視線位置との対応関係を用いることで、前景画像中の視線位置を特定する構成とすればよい。
【００４１】
また、視線位置特定部２０４は、ドライバが自車を走行路に沿って運転しようとする運転行動の意図をより確実に捉えることを可能にするため、ＤＳＭ２２で逐次検出しておいた視線方向の分布をもとに視線位置を特定することが好ましい。例えば、視線位置特定部２０４は、ＤＳＭ２２で逐次検出しておいた視線方向のそれぞれに対応する視線位置の分布をもとに、図４に示すように、この分布の中央値にあたる視線位置ＣＰを、視線位置として特定すればよい。なお、図４の黒塗りの丸がＤＳＭ２２で逐次検出しておいた視線方向のそれぞれに対応する視線位置を示している。また、図４に示すように、視線の集中が見られる枠Ｆｒ内の視線位置の平均値を、視線位置として特定してもよい。枠Ｆｒ内の視線位置の平均値は、一定の閾値の範囲内にある近似値に収まる視線位置の平均値とすればよい。他にも、分布の平均値にあたる視線位置を、視線位置として特定する等してもよい。これらの構成により、一瞬のよそ見といった、運転行動を示す視線位置の傾向から外れた視線位置のノイズ（つまり、離散値）を除くことができるようになり、ドライバの運転行動の意図をより確実に捉えることが可能な視線位置を特定可能となる。
【００４２】
不安検知部２０５は、ドライバの不安を示すトリガを検知する。一例としては、ＤＳＭ２２でドライバが不安であることを推定した場合に、ドライバの不安を示すトリガを検知する構成とすればよい。また、操作デバイス２１としての、不安があることをドライバが自己申告するためのスイッチが操作されたことをもとに、ドライバの不安を示すトリガを検知する構成としてもよい。他にも、ＤＳＭ２２でドライバが不安であることを推定した場合に、提示制御部２０２から表示装置２３及び／又は音声出力装置２４から不安の有無を問い合わせ、操作デバイス２１で不安がある旨の回答を受けた場合に、ドライバの不安を示すトリガを検知する構成としてもよい。
【００４３】
目標決定部２０６は、運転交代しようとする場合に、視線位置特定部２０４で特定する視線位置に該当する道路上の位置に所定の設定時間後に自車が到達するための運転操作の目標を決定する。視線位置に該当する道路上の位置は、自動運転ＥＣＵ８で走行環境を認識する際の前方画像中の位置から自車の周囲の仮想空間上の位置への変換と同様にして求めればよい。また、所定の設定時間は、手動運転時のドライバの視線方向の変化に応じて遅れて発生する運転操作の変化のタイムラグに相当する時間とすればよく、例えば２秒とすればよい。
【００４４】
ここで、ドライバの視線方向の変化と運転操作の変化との関係について図５を用いて説明を行う。図５は、視線方向の計測結果を２秒遅らせて、手動運転時におけるドライバの左右の視線方向の時間変化（図５のＡ参照）と、手動運転時における操舵操作による操舵角の時間変化（図５のＢ参照）とを示している。図５から、手動運転時のドライバの視線方向の変化に応じて同様の運転操作の変化が遅れて生じることがわかる。この対応関係は車速によらずに成立する。よって、視線位置に該当する道路上の位置に所定の設定時間後に自車が到達するための運転操作の目標を決定することで、手動運転時にドライバが行っているのと同様の運転操作を、目標決定部２０６で運転操作の目標と決定することが可能になる。
【００４５】
一例として、目標決定部２０６は、視線位置特定部２０４で特定する視線位置を、運転感覚回復訓練時の到達ポイントと設定する。そして、現在位置から前述の設定時間後にその到達ポイントに到達するために必要な操舵角及び車速の変化量といった運転操作の目標を決定すればよい。操舵角及び車速の変化量といった運転操作の目標は、経過時間ごとの段階的な目標であってもよい。運転操作の目標は、等加速度で運転操作するものとして決定してもよいし、手動運転時の操舵角及び車速の変化をモデルにして決定してもよいし、自動運転時の操舵角及び車速の変化をモデルにして決定してもよい。なお、運転操作の目標には、変速比の切り替えも含む構成としてもよい。
【００４６】
表示制御部２０３は、目標決定部２０６で運転操作の目標が決定された場合に、決定した運転操作の目標に合わせた運転操作を教示する教示表示を表示装置２３に行わせる。一例としては、ＨＵＤ２３０を用いることによって教示表示を前景中に重畳表示させる構成とすればよい。これによれば、ドライバが自車の前方に視線を向けたまま、運転操作の教示を受けることが可能となるため、実際の運転操作時と同様に自車の前方に視線を向けたまま運転操作を行うことができ、運転感覚をより取り戻しやすくなる。教示表示は、ＨＵＤ２３０以外の表示装置２３に行わせる構成としてもよいが、以下では、ＨＵＤ２３０を用いて教示表示を前景中の重畳表示させる場合を例に挙げて説明を行う。
【００４７】
例えば、図６のＴｘに示すように、「到達ポイントまでアクセルペダルを踏み込み１００ｋｍ／ｈまで加速」といった運転操作の目標をテキストで表した教示表示を前景中に重畳表示させればよい。なお、操舵量の目安についてもテキストで表す構成としてもよい。
【００４８】
また、表示されたイメージに従ってドライバが運転操作を行うことができる教示表示を前景中に重畳表示させることが好ましい。例えば、図６のＴｌに示すように、到達ポイントまでの目標とすべき走行軌跡を示す教示表示を前景中に重畳表示させればよい。図６のＴｌにおいて視線位置である到達ポイントを矢頭の先端位置によって表しているように、視線位置も表す表示とすることが好ましい。他にも、到達ポイントまでの目標とするステアリングホイールの操舵範囲を教示する教示表示を前景中に重畳表示させればよい。一例としては、図６のＴｓに示すように、目標とする操舵範囲で回転させたステアリングホイールを模した画像を表示させる等すればよい。なお、前述した教示表示の全てを行う構成に限らず、前述した教示表示のうちの一部を行う構成としてもよい。また、表示制御部２０３は、目標決定部２０６で経過時間ごとの段階的な運転操作の目標を決定する場合には、教示表示をこの段階的な運転操作の目標に応じて逐次更新する構成とすればよい。
【００４９】
模擬操作受付部２０７は、運転交代しようとする場合に、運転操作の制御権を自動運転機能からドライバへ移譲するまでは、ドライバによる前述の非連動状態におけるステアリングホイール１３，アクセルペダル１４への模擬的な運転操作による入力を受け付ける。一例としては、ステアリングホイール１３の操作による入力として、車両状態センサ５のうちの操舵センサから操舵角の入力を受け付ける。また、アクセルペダル１４の操作による入力として、車両状態センサ５のうちのアクセル開度センサからのアクセル開度の入力を受け付ける。なお、ブレーキペダルの操作による入力として、車両状態センサ５のうちのブレーキストロークセンサからのブレーキペダルの踏み込み量の入力を受け付けてもよい。また、シフトレバーの操作による入力として、車両状態センサ５のうちのシフトポジションセンサからのシフト位置の入力を受け付ける等してもよい。
【００５０】
また、表示制御部２０３は、模擬操作受付部２０７で受け付けた模擬的な運転操作による入力と、目標決定部２０６で決定した運転操作の目標とをもとに、運転操作の目標に対する、実際の運転操作のずれを示す教示表示を表示装置２３に行わせる。例えば操舵操作については、操舵角の目標に対する、模擬操作受付部２０７で受け付けた操舵角の入力のずれ（つまり、操舵量のずれ）を示す教示表示を行わせる。また、加減速操作については、アクセル開度の目標に対する、模擬操作受付部２０７で受け付けたアクセル開度の入力のずれ（つまり、加減速操作量のずれ）を示す教示表示を行わせる。なお、加減速操作については、ブレーキペダルの踏み込み量の目標に対する、模擬操作受付部２０７で受け付けたブレーキペダルの踏み込み量の入力のずれを示す教示表示を行わせる等してもよい。
【００５１】
ここで、図７を用いて、運転操作の目標に対する、実際の運転操作のずれを示す教示表示の一例について説明する。図７のＴｘ，Ｔｌ，Ｔｓについては図６と同様である。図７のＴｐが、運転操作の目標に対する、実際の運転操作のずれを示す教示表示を表している。ＴｐのＳＷが、操舵角の目標に対する、模擬操作受付部２０７で受け付けた操舵角の入力のずれを表しており、ＴｐのＰＷが、アクセル開度の目標に対する、模擬操作受付部２０７で受け付けたアクセル開度の入力のずれを表している。
【００５２】
一例として、目標に対するずれは、図７に示すように、正方向と負方向とのバーグラフで表す等すればよい。例えば、操舵が足りない方向のずれの場合は、ずれに応じた大きさの負方向のバーグラフで足りない操舵量を示し、操舵し過ぎの方向のずれの場合は、ずれに応じた正方向のバーグラフで超過した操舵量を示せばよい。また、アクセルペダルの踏み込みが足りない方向のずれの場合は、ずれに応じた大きさの負方向のバーグラフで足りないペダル操作量を示し、減速が必要な方向のずれの場合は、ずれに応じた正方向のバーグラフで超過したペダル操作量を示せばよい。目標に対するブレーキペダルの踏み込み量の入力のずれについても教示表示を行う構成とする場合には、アクセルペダルでの加速が必要な場合には赤色のバーグラフを用いる一方、ブレーキペダルでの減速が必要な場合には青色のバーグラフに切り替える等、表示態様を切り替える構成とすればよい。
【００５３】
疑似反力制御部２０８は、前述の非連動状態において、模擬操作受付部２０７で受け付ける模擬的な運転操作による入力に応じた疑似的な反力を、アクチュエータ２５０，２６０からステアリングホイール１３，アクセルペダル１４に与えさせる。疑似反力制御部２０８は、手動運転時の運転感覚と同質な操作感が得られるように、模擬操作受付部２０７で受け付けた模擬的な運転操作による入力に比例した反力を与えさせる構成とすればよい。運転操作による入力と反力との比率は、実運転操作時のリアルな運転感覚が得られるよう、運転操作部の種類ごとに実験等によって予め求めた値を用いる等すればよい。これによれば、疑似反力制御部２０８によって運転操作部に与えられる疑似的な反力によって、ドライバに手動運転時の運転感覚を取り戻させることが可能になる。
【００５４】
疑似反力制御部２０８は、ドライバごとの反力に対する感度の特性についての情報を車両システム１が取得できる場合には、この感度の特性に応じて、個々のドライバに合った疑似的な反力を与えさせてもよい。
【００５５】
復帰可否判定部２０９は、目標決定部２０６で決定した運転操作の目標と、模擬操作受付部２０７で受け付けた模擬的な運転操作による入力とをもとに、自動運転機能からドライバへの運転操作の制御権の移譲の可否（以下、復帰可否）を判定する。具体的には、前述した運転操作の目標と実際の運転操作とが、運転感覚が回復したと言える程度のずれにおさまる一致度合いである場合に、復帰可能と判定すればよい。一例としては、運転操作の目標に対する実際の運転操作のずれが、運転感覚の未回復を示す閾値未満である場合に復帰可能と判定する一方、この閾値を超えている場合に復帰不能と判定すればよい。ここで言うところの閾値は、実験等によって予め設定しておく構成とすればよい。なお、目標決定部２０６で経過時間ごとの段階的な運転操作の目標を決定する場合には、この段階的な運転操作の目標に対する実際の運転操作のずれを積算した値が閾値未満か否かに応じて復帰可否を判定する構成とすればよい。
【００５６】
また、復帰可否判定部２０９は、以下のようにして復帰可否を判定してもよい。例えば操舵操作については、目標決定部２０６で到達ポイントとした視線位置を特定した際の視線方向α°，この到達ポイントに自車が到達した際の実際の操舵角δ°とし、αに係数Ｋを乗算した結果とδとのずれが閾値未満である場合に、復帰可能と判定すればよい。Ｋは、前述した所定の設定時間だけ視線方向の変化に遅れる操舵の変化の比率にあたる係数である。加減速操作については、目標決定部２０６で到達ポイントとした視線位置での目標速度まで前述した所定の設定時間だけ等加速度直線運動を行うとした場合の車速と実際の車速とのずれが閾値未満である場合に、復帰可能と判定すればよい。
【００５７】
そして、復帰可否判定部２０９は、復帰可能と判定した場合には、自動運転機能からドライバへの運転操作の移譲を許可する。よって、この復帰可否判定部２０９が請求項の移譲許可部に相当する。復帰可否判定部２０９で自動運転機能からドライバへの運転操作の移譲を許可した場合に、ＨＣＵ２０は、運転操作の制御権について自動運転機能からドライバへ移譲する。運転操作の制御権がドライバへ移譲された場合には、連動切替部２５１，２６１が連動状態に切り換わり、手動運転による自車の運転操作が可能となる。一方、復帰可否判定部２０９で復帰不能と判定した場合には、提示制御部２０２が、ドライバに誤りを確認させるための情報提示を行わせる構成とすればよい。なお、復帰不能と判定した場合の処理の詳細については後述する。
【００５８】
＜ＨＣＵ２０での移譲関連処理＞
続いて、図８〜図１０，図１２のフローチャートを用いて、ＨＣＵ２０での移譲関連機能に関する処理（以下、移譲関連処理）の流れの一例について説明を行う。図８のフローチャートは、自動運転ＥＣＵ８で自動運転機能の実行が開始された場合に開始する構成とすればよい。
【００５９】
まず、ステップＳ１では、運転交代要求部２０１でＴＯＲを行う場合（Ｓ１でＹＥＳ）には、ステップＳ２に移る。一方、ＴＯＲを行わない場合（Ｓ１でＮＯ）には、ステップＳ３に移る。ステップＳ２では、第１運転復帰シーケンスを行って、ステップＳ６に移る。
【００６０】
ここで、図９のフローチャートを用いて、第１運転復帰シーケンスについての説明を行う。まず、ステップＳ２１では、ＨＣＵ２０でＴＯＲに対するドライバの了承を検知した場合（Ｓ２１でＹＥＳ）には、ステップＳ２３に移る。一方、ＴＯＲに対するドライバの了承を検知しなかった場合（Ｓ２１でＮＯ）には、ステップＳ２２に移る。一例として、ステアリングホイール１３の把持を検知するセンサでドライバがステアリングホイール１３を把持したことを検知した場合に、ＴＯＲに対するドライバの了承を検知する構成とすればよい。他にも、操作デバイス２１のうちのドライバが許諾の意思を伝えるためのスイッチが操作された場合に、ＴＯＲに対するドライバの了承を検知する構成としてもよい。
【００６１】
ステップＳ２２では、ＴＯＲが行われてからの経過時間が制限時間を越え、タイムアウトした場合（Ｓ２２でＹＥＳ）には、自動運転からの復帰不能であるものとして、ステップＳ６に移る。一方、タイムアウトしていない場合（Ｓ２２でＮＯ）には、Ｓ２１に戻って処理を繰り返す。制限時間は、自動運転機能からドライバの運転操作への移譲若しくは退避行動を実行するまでの制限時間であって、任意に設定可能な時間とする。ＴＯＲが行われてからの経過時間は、ＨＣＵ２０のタイマ回路等によってカウントする構成とすればよい。
【００６２】
ステップＳ２３では、ＨＣＵ２０でドライバが運転姿勢をとったことを検知した場合（Ｓ２３でＹＥＳ）には、ステップＳ２５に移る。一方、ドライバが運転姿勢をとったことを検知しなかった場合（Ｓ２３でＮＯ）には、ステップＳ２４に移る。一例として、ＤＳＭ２２で検出した顔向きが前方を向いていた場合に、ドライバが運転姿勢をとったことを検知する等すればよい。他にも、操作デバイス２１のうちのドライバが運転姿勢の整ったことを伝えるためのスイッチが操作された場合に、ドライバが運転姿勢をとったことを検知する構成としてもよい。
【００６３】
ステップＳ２４では、Ｓ２２と同様にして、ＴＯＲが行われてからの経過時間が制限時間を越え、タイムアウトした場合（Ｓ２４でＹＥＳ）には、自動運転からの復帰不能であるものとして、ステップＳ６に移る。一方、タイムアウトしていない場合（Ｓ２４でＮＯ）には、Ｓ２３に戻って処理を繰り返す。
【００６４】
ステップＳ２５では、視線位置特定部２０４が、ＤＳＭ２２で逐次検出しておいた視線方向のうち、ドライバが運転姿勢をとったことを検知して以降の直近の一定期間の視線方向の分布をもとに視線位置を特定する。ここで言うところの一定期間は、任意に設定可能であって、離散値を除いて運転行動の意図をより確実に捉えることが可能になる程度のサンプル数が得られる時間であることが好ましい。
【００６５】
ステップＳ２６では、Ｓ２５で特定した視線位置が自動運転ＥＣＵ８で認識される走行環境中の道路上にある場合（Ｓ２６でＹＥＳ）には、ステップＳ２８に移る。一方、Ｓ２５で特定した視線位置がこの道路上にない場合（Ｓ２６でＮＯ）には、ステップＳ２７に移る。ステップＳ２７では、Ｓ２２と同様にして、ＴＯＲが行われてからの経過時間が制限時間を越え、タイムアウトした場合（Ｓ２７でＹＥＳ）には、自動運転からの復帰不能であるものとして、ステップＳ６に移る。一方、タイムアウトしていない場合（Ｓ２７でＮＯ）には、Ｓ２５に戻って処理を繰り返す。
【００６６】
ステップＳ２８では、Ｓ２５で特定した視線位置が自動運転ＥＣＵ８で認識される走行環境中の操舵操作が必要なカーブ終端にある場合（Ｓ２８でＹＥＳ）には、ステップＳ３０に移る。一方、Ｓ２５で特定した視線位置がこのカーブ終端にない場合（Ｓ２８でＮＯ）には、ステップＳ２９に移る。一例としてカーブ終端は、経路上の例えば曲率が直線と判断する値に変化する点とすればよい。Ｓ２８の処理は、漫然状態にある視線位置等を除外して、運転行動の意図をより確実に示す視線位置を以降の判定に用いるために好ましいが、Ｓ２８〜Ｓ２９の処理を省略する構成としてもよい。
【００６７】
ステップＳ２９では、Ｓ２２と同様にして、ＴＯＲが行われてからの経過時間が制限時間を越え、タイムアウトした場合（Ｓ２９でＹＥＳ）には、自動運転からの復帰不能であるものとして、ステップＳ６に移る。一方、タイムアウトしていない場合（Ｓ２９でＮＯ）には、Ｓ２５に戻って処理を繰り返す。
【００６８】
ステップＳ３０では、目標決定部２０６が、Ｓ２５で特定した視線位置に該当する道路上の位置に所定の設定時間後に自車が到達するための運転操作の目標を決定する。ステップＳ３１では、表示制御部２０３が、Ｓ３０で決定した運転操作の目標に合わせた運転操作を教示する教示表示を表示装置２３に行わせる。
【００６９】
ステップＳ３２では、復帰可否判定部２０９が、Ｓ３０で決定した運転操作の目標と、模擬操作受付部２０７で受け付けた模擬的な運転操作による入力とをもとに、復帰可否を判定する。そして、復帰可能と判定した場合（Ｓ３２でＹＥＳ）には、ステップＳ３３に移り、ステップＳ３３では、復帰可能であるものとしてステップＳ６に移る。一方、復帰不能と判定した場合（Ｓ３２でＮＯ）には、ステップＳ３４に移る。
【００７０】
ステップＳ３４では、Ｓ２２と同様にして、ＴＯＲが行われてからの経過時間が制限時間を越え、タイムアウトした場合（Ｓ３４でＹＥＳ）には、ステップＳ３５に移り、ステップＳ３５では、復帰不能であるものとしてステップＳ６に移る。一方、タイムアウトしていない場合（Ｓ３４でＮＯ）には、Ｓ２５に戻って処理を繰り返す。なお、Ｓ３４でタイムアウトするまで、復帰可否判定部２０９で復帰不能と判定するごとに、提示制御部２０２が、ドライバに誤りを確認させるための情報提示を行わせる構成としてもよい。一例として、音声出力装置２４から警報を音声出力させたり、表示装置２３に警告表示を行わせたりすればよい。
【００７１】
図８に戻って、Ｓ１でＴＯＲを行わない場合に実行される処理であるステップＳ３では、ＨＣＵ２０がドライバによるオーバーライド（以下、ＯＲ）意向を検知した場合（Ｓ３でＹＥＳ）には、ステップＳ４に移る。一方、ＯＲ意向を検知していない場合（Ｓ３でＮＯ）には、ステップＳ５に移る。一例として、ＨＣＵ２０は、操作デバイス２１のうちのドライバがＯＲすることを伝えるためのスイッチが操作された場合に、ＯＲ意向を検知する構成とすればよい。他にも、ステアリングホイール１３の把持を検知するセンサでドライバがステアリングホイール１３を把持したことを検知した場合に、ＯＲ意向を検知する構成としてもよい。
【００７２】
ステップＳ４では、第２運転復帰シーケンスを行って、ステップＳ６に移る。ここで、図１０のフローチャートを用いて、第２運転復帰シーケンスについての説明を行う。ステップＳ４１〜ステップＳ５３までの処理は、前述した第１運転復帰シーケンスのＳ２３〜Ｓ３５までの処理と同様である。なお、第２運転復帰シーケンスでは、ＯＲ意向を検知してからの経過時間が前述の制限時間を越えたことをタイムアウトとすればよい。第２運転復帰シーケンスでの制限時間は、第１運転復帰シーケンスでの制限時間と同じとしてもよいし、異なる時間としてもよい。
【００７３】
なお、第２運転復帰シーケンスでも、Ｓ５２でタイムアウトするまで、復帰可否判定部２０９で復帰不能と判定するごとに、提示制御部２０２が、ドライバに誤りを確認させるための情報提示を行わせる構成としてもよい。
【００７４】
図８に戻って、Ｓ３でＯＲ意向を検知していない場合に実行される処理であるステップＳ５では、自車の自動運転が終了する場合（Ｓ５でＹＥＳ）には、移譲関連処理を終了する。一方、自車の自動運転が継続する場合（Ｓ５でＮＯ）には、Ｓ１に戻って処理を繰り返す。自車の自動運転が終了するか継続するかについては、ＨＣＵ２０が自動運転ＥＣＵ８をモニタすることで判別すればよい。
【００７５】
Ｓ２若しくはＳ４に続いて実行される処理であるステップＳ６では、Ｓ２若しくはＳ４において自動運転からの復帰可能とした場合（Ｓ６でＹＥＳ）には、ステップＳ９に移る。一方、Ｓ２若しくはＳ４において自動運転からの復帰不能とした場合（Ｓ６でＮＯ）には、ステップＳ７に移る。
【００７６】
ステップＳ７では、提示制御部２０２が、自動運転からの復帰不能であることをドライバに通知するための情報提示を行わせる。提示制御部２０２は、自動運転からの復帰不能である原因に応じて、情報提示の態様を異ならせることによって、自動運転からの復帰不能である原因もドライバが認識できるようにすることが好ましい。自動運転からの復帰不能である原因については、Ｓ２若しくはＳ４のどのステップで復帰不能であるものと判別されたかによって提示制御部２０２が特定する構成とすればよい。
【００７７】
例えば、Ｓ２３，Ｓ４１で運転姿勢をとったことを検知できずに復帰不能と判別された場合には、運転姿勢がととのっていないことを示すテキスト及び／又はアイコン等を表示させたり、音声出力を行わせたりすればよい。また、Ｓ２６，Ｓ４４で視線位置が道路上にないために復帰不能であるもの判別された場合には、視線が道路に向いていないことを示すテキスト及び／又はアイコン等を表示させたり、音声出力を行わせたりすればよい。一例として、Ｓ２６，Ｓ４４で視線位置が道路上にない場合も、表示制御部２０３が、図１１に示すように、この視線位置までの目標とするステアリングホイールの操舵範囲を示す表示（図１１のＴｌａ参照）を、教示表示とは色を変える等して前景中に重畳表示させることで、視線が道路に向いていないことを通知する構成としてもよい。この場合に、目標とする操舵範囲で回転させたステアリングホイールを模した画像（図１１のＴｓａ参照）も表示させる構成としてもよい。
【００７８】
他にも、Ｓ３２，Ｓ５０で復帰可否判定部２０９が復帰不能と判定した場合には、運転感覚が戻っていないことを示すテキスト及び／又はアイコン等を表示させたり、音声出力を行わせたりすればよい。他にも、復帰不能と判定される操作を行ったことをドライバに事後確認して納得してもらうために、ＨＵＤ２３０以外のＣＩＤ等に、復帰不能と判定された際の運転操作を示す画像を再生表示する構成としてもよい。復帰不能と判定された際の運転操作を示す画像としては、前景画像に、視線位置特定部２０４で特定した視線位置と、模擬操作受付部２０７で受け付けた模擬的な運転操作による仮想の走行軌跡とを示す等すればよい。
【００７９】
なお、Ｓ２，Ｓ４の処理において、タイムアウトするまで復帰可否判定部２０９で復帰不能と判定するごとに、上述したような復帰不能であることを通知するための情報提示を行う構成としてもよい。
【００８０】
ステップＳ８では、提示制御部２０２が、退避行動をとることをドライバに通知するための情報提示を行わせ、移譲関連処理を終了する。提示制御部２０２が、退避行動をとることをドライバに通知するための情報提示を行わせた後は、自動運転ＥＣＵ８が、路肩等に自車を自動で停車させる退避行動を行わせる。
【００８１】
一方、Ｓ６で自動運転からの復帰可能とした場合に行われる処理であるステップＳ９では、提示制御部２０２が、自動運転からの復帰可能であることをドライバに通知するための情報提示を行わせる。ステップＳ１０では、提示制御部２０２が、自動運転を解除することをドライバに通知するための情報提示を行わせる。提示制御部２０２が、自動運転を解除することをドライバに通知するための情報提示を行わせた後は、ＨＣＵ２０が、運転操作の制御権を自動運転機能からドライバへ移譲する。運転操作の制御権が自動運転機能からドライバへ移譲された後は、ステアリングユニット２５の連動切替部２５１及びペダルユニット２６の連動切替部２６１が連動状態に切り換わり、手動運転が可能となる。
【００８２】
ステップＳ１１では、運転復帰後支援シーケンスを行って、ステップＳ１２に移る。ここで、図１２のフローチャートを用いて、運転復帰後支援シーケンスについての説明を行う。まず、ステップＳ１１１では、不安検知部２０５でドライバの不安を示すトリガを検知した場合（Ｓ１１１でＹＥＳ）には、ステップＳ１１２に移る。一方、不安検知部２０５でドライバの不安を示すトリガを検知していない場合（Ｓ１１１でＮＯ）には、ステップＳ１２に移る。
【００８３】
ステップＳ１１２では、Ｓ２５と同様にして、視線位置特定部２０４が、ＤＳＭ２２で逐次検出しておいた視線方向のうち、直近の一定期間の視線方向の分布をもとに視線位置を特定する。ＤＳＭ２２は、自動運転機能が実行されている場合においても、ドライバの視線方向等の検出を逐次行っているものとする。ステップＳ１１３では、Ｓ２６と同様にして、Ｓ１１２で特定した視線位置が自動運転ＥＣＵ８で認識される走行環境中の操舵操作が必要なカーブ終端にある場合（Ｓ１１３でＹＥＳ）には、ステップＳ１１５に移る。一方、Ｓ１１２で特定した視線位置がこのカーブ終端にない場合（Ｓ１１３でＮＯ）には、ステップＳ１１４に移る。
【００８４】
ステップＳ１１４では、運転操作の制御権がドライバへ移譲されてからの経過時間が制限時間を越え、タイムアウトした場合（Ｓ１１４でＹＥＳ）には、ステップＳ１２に移る。一方、タイムアウトしていない場合（Ｓ１１４でＮＯ）には、Ｓ１１３に戻って処理を繰り返す。ここで言うところの制限時間とは、任意に設定可能であって、手動運転に復帰したドライバの不安が時間経過によっておさまるのに十分と推定される時間等とすればよい。
【００８５】
ステップＳ１１５では、Ｓ３０と同様にして、目標決定部２０６が、Ｓ１１２で特定した視線位置に該当する道路上の位置に所定の設定時間後に自車が到達するための運転操作の目標を決定する。ステップＳ１１６では、Ｓ３１と同様にして、表示制御部２０３が、Ｓ１１５で決定した運転操作の目標に合わせた運転操作を教示する教示表示を表示装置２３に行わせ、ステップＳ１２に移る。
【００８６】
図８に戻って、ステップＳ１２では、移譲関連処理の終了タイミングであった場合（Ｓ１２でＹＥＳ）には、移譲関連処理を終了する。移譲関連処理の終了タイミングとしては、自車のイグニッション電源がオフになった場合，運転操作の制御権がドライバから自動運転機能に移譲される場合等がある。運転操作の制御権の自動運転機能への移譲は、操作デバイス２１でドライバから自動運転機能の実行が選択された場合に行う等すればよい。一方、移譲関連処理の終了タイミングでなかった場合（Ｓ１２でＮＯ）には、Ｓ１１に戻って運転復帰後支援シーケンス繰り返す。よって、運転復帰後支援シーケンスによる教示表示は、ドライバの不安が解消されるまで繰り返され、ドライバの不安が解消されると終了する。なお、運転復帰後支援シーケンスによる教示表示は、運転操作の制御権がドライバへ移譲されてからの経過時間が制限時間を越えた場合に終了する構成としてもよいし、操作デバイス２１で受け付ける操作に応じて終了する構成としてもよい。
【００８７】
なお、制限時間は、操作デバイス２１へのドライバからの操作入力，ＤＳＭ２２で推定したドライバの感情等をもとに不安の感じやすさの特性がＨＣＵ２０で特定できた場合に、不安の感じやすさが高いほど長めにする等の調整を行う構成としてもよい。
【００８８】
＜実施形態１のまとめ＞
ドライバは、手動運転時に、自車前方の道路の曲がり形状及び勾配の状況を、視線によって捉える。そして、ドライバは、視線によって捉えた位置（つまり、視線位置）に達するまでの時間と距離とを、固有に持つ経験的な運転感覚によって推定し、アクセルペダル及び／又はブレーキペダルの操作によって車速を適正に調整し、ステアリングホイールの操作によって進行方向を適正に調整する。一方、ドライバは、自動運転による画一的な走行に慣れた状態から手動運転に復帰する際には、運転感覚がすぐに戻らない状況に陥りやすく、適正な運転操作を直ちには行うことができない場合がある。
【００８９】
これに対して、実施形態１の構成によれば、ドライバの視線位置に基づく運転体感シミュレーションを行うことで、運転操作を行う感覚をドライバが取り戻した状態で運転操作の制御権をドライバへ移譲させることを可能にする。
【００９０】
詳しくは、実施形態１の構成によれば、ドライバの視線位置に該当する道路上の位置に所定の設定時間後に車両が到達するための運転操作をドライバの運転操作の目標とする。ドライバの視線位置は、個々のドライバの運転操作の感覚を反映するものであるため、視線位置を車両の到達目標として用いることで、ドライバがそれぞれ固有に持っている運転感覚に沿った運転操作の目標を決定することができる。そして、この運転操作の目標と模擬操作受付部２０７で受け付けた模擬的な運転操作とのずれが、運転感覚の未回復を示す閾値未満である場合に、ドライバへの運転操作の移譲を許可するので、ドライバがそれぞれ固有に持っている運転感覚をドライバが取り戻した場合に、ドライバへ運転操作の制御権を移譲させることが可能になる。よって、運転操作を行う感覚をドライバが取り戻した状態で運転操作の制御権をドライバへ移譲させることが、より確実に可能になる。
【００９１】
また、実施形態１の構成によれば、視線位置に基づくこの運転操作の目標に合わせた運転操作を教示する教示表示を行わせるので、この教示表示によって、ドライバがそれぞれ固有に持っている運転感覚をドライバに取り戻させることが可能になる。よって、この点でも、運転操作を行う感覚をドライバが取り戻した状態で運転操作の制御権をドライバへ移譲させることが、より確実に可能になる。
【００９２】
さらに、実施形態１の構成によれば、自動運転機能が実行されている場合には、連動切替部２５１，２６１によって自車の運転操作部と自車の走行制御とを切り離した非連動状態とするので、ドライバに運転操作の制御権を移譲しようとする場合に、自動運転を継続しつつ、ドライバが実際に運転操作部を操作するシミュレーションを行うことが可能となる。ドライバが実際に運転操作部を操作するシミュレーションを行うと、運転感覚を取り戻しやすいため、この点でも、運転操作を行う感覚をドライバが取り戻した状態で運転操作の制御権をドライバへ移譲させることが、より確実に可能になる。
【００９３】
他にも、実施形態１の構成によれば、前述の非連動状態において、模擬操作受付部２０７で受け付ける模擬的な運転操作による入力に応じた疑似的な反力を、自車の運転操作部に与えるので、ドライバに運転操作の制御権を移譲しようとする場合に、ドライバが運転操作部の操作に応じた反力を運転操作部から受けることができる。ドライバが運転操作部の操作に応じた反力を運転操作部から受けることができると、実際の運転操作に似た感覚を得ることができるので、運転感覚を取り戻しやすくなる。従って、この点でも、運転操作を行う感覚をドライバが取り戻した状態で運転操作の制御権をドライバへ移譲させることが、より確実に可能になる。
【００９４】
（実施形態２）
実施形態１では、目標決定部２０６で決定した運転操作の目標をもとに、表示制御部２０３で教示表示を行わせるとともに、復帰可否判定部２０９で復帰可否を判定してドライバへの運転操作の移譲の許可を行う構成を示したが、必ずしもこれに限らない。例えば、表示制御部２０３で教示表示を行わせずに、復帰可否判定部２０９で復帰可否を判定してドライバへの運転操作の移譲の許可を行う構成としてもよい。また、復帰可否判定部２０９で復帰可否を判定せずに、表示制御部２０３で教示表示を行わせたことをもって、ドライバへの運転操作の移譲の許可を行う構成としてもよい。
【００９５】
（実施形態３）
実施形態１では、ドライバへの運転操作の移譲が行われた後に運転復帰後支援シーケンスを行う構成を示したが、必ずしもこれに限らない。例えば、ドライバへの運転操作の移譲が行われた後に運転復帰後支援シーケンスを行わない構成としてもよい。
【００９６】
（実施形態４）
実施形態１では、模擬操作受付部２０７で受け付ける模擬的な運転操作による入力に応じた疑似的な反力を運転操作部に与える構成を示したが、必ずしもこれに限らない。例えば、模擬操作受付部２０７で受け付ける模擬的な運転操作による入力に応じた疑似的な反力を運転操作部に与えない構成としてもよい。
【００９７】
（実施形態５）
実施形態１では、表示制御部２０３が、ＨＵＤ２３０によって、到達ポイントまでの目標とすべき走行軌跡を示す教示表示を前景中に重畳表示させる構成を示したが、到達ポイントまでの目標とすべき走行軌跡の代わりに、模擬操作受付部２０７で受け付ける模擬的な運転操作による仮想の走行軌跡を示す表示を前景中に重畳表示させる構成としてもよい。この場合、視線位置特定部２０４で特定する視線位置については、この視線位置を表す表示を前景中に重畳表示させることで、この仮想の走行軌跡を視線位置である到達ポイントに合わせるように促し、目標決定部２０６で決定した運転操作の目標に合わせた運転操作を教示することが好ましい。模擬操作受付部２０７で受け付ける模擬的な運転操作による仮想の走行軌跡は、模擬操作受付部２０７で受け付ける模擬的な運転操作による入力をもとに、この入力に従って走行制御した場合の走行軌跡を推定することで特定すればよい。
【００９８】
（実施形態６）
なお、ＨＭＩシステム２にＤＳＭ２２以外に、ドライバの運転姿勢を検出するためのカメラをさらに備え、このカメラでの撮像画像をもとにＨＣＵ２０でドライバが運転姿勢をとったことを検知する構成としてもよい。また、ＤＳＭ２２の制御ユニットの機能をＨＣＵ２０が担う構成としてもよい。
【００９９】
なお、本発明は、上述した実施形態及び変形例に限定されるものではなく、請求項に示した範囲で種々の変更が可能であり、異なる実施形態及び変形例にそれぞれ開示された技術的手段を適宜組み合わせて得られる実施形態についても本発明の技術的範囲に含まれる。
【符号の説明】
【０１００】
１  車両システム、２  ＨＭＩシステム、３  ロケータ、４  地図ＤＢ、５  車両状態センサ、６  車両制御ＥＣＵ、７  周辺監視センサ、８  自動運転ＥＣＵ、１０  フロントウインドシールド（投影部材）、１３  ステアリングホイール（運転操作部）、１４  アクセルペダル（運転操作部）、２０  ＨＣＵ（移譲制御装置）、２１  操作デバイス、２２  ＤＳＭ、２３  表示装置、２４  音声出力装置、２５  ステアリングユニット、２６  ペダルユニット、７０  前方カメラ、１００  虚像、２０１  運転交代要求部、２０２  提示制御部、２０３  表示制御部、２０４  視線位置特定部、２０５  不安検知部、２０６  目標決定部、２０７  模擬操作受付部、２０８  疑似反力制御部、２０９  復帰可否判定部（移譲許可部）、２３０  ＨＵＤ（ヘッドアップディスプレイ）、２５０，２６０  アクチュエータ、２５１，２６１  連動切替部
【図１】
2018203180.tif 000003
【図２】
2018203180.tif 000004
【図３】
2018203180.tif 000005
【図４】
2018203180.tif 000006
【図５】
2018203180.tif 000007
【図６】
2018203180.tif 000008
【図７】
2018203180.tif 000009
【図８】
2018203180.tif 000010
【図９】
2018203180.tif 000011
【図１０】
2018203180.tif 000012
【図１１】
2018203180.tif 000013
【図１２】
2018203180.tif 000014